(57)【要約】      （修正有）【課題】反転角度が大きく、ハンドライティングパッドと計算器との間の隙間が狭く、回転安定性が高いハンドライティングパッド付きの計算器を提供する。【解決手段】計算器本体１００とハンドライティングパッド本体２００の縁部には、少なくとも１つの回転機構３００が設けられ連結される。回転機構は連結部材を含む。連結部材の両端にそれぞれ第１、第２回転軸が穿設される。計算器本体とハンドライティングパッド本体の縁部には、それぞれ第１、第２取り付け溝が設けられ、かつ第１取り付け溝の両側に１対の第１回転孔が対称に設けられ、第２取り付け溝の両側に１対の第２回転孔が対称に設けられる。第１回転軸の両端はそれぞれ第１回転孔に回転可能に連結され、第２回転軸の両端はそれぞれ第２回転孔に回転可能に連結される。ハンドライティングパッド本体を反転する場合、連結部材も反転するため、１８０°反転時に連結部材に押し当てることがなく、円滑で安定性が高い。【選択図】図２
0003232072.tif 000002
【実用新案登録請求の範囲】
【請求項１】
ハンドライティングパッド付きの計算器であって、計算器本体及びハンドライティングパッド本体を有し、前記計算器本体と前記ハンドライティングパッド本体との互いに近接する縁部には、少なくとも１つの回転機構が設けられおり、前記ハンドライティングパッド本体は回転機構を介して前記計算器本体に回転可能に連結され、前記回転機構は連結部材を有し、前記連結部材の両端にそれぞれ第１回転軸と第２回転軸が穿設され、前記計算器本体と前記ハンドライティングパッド本体との互いに近接する縁部にはそれぞれ第１取り付け溝と第２取り付け溝が設けられており、かつ前記第１取り付け溝の対向する両側に１対の第１回転孔が対称に設けられており、前記第２取り付け溝の対向する両側に１対の第２回転孔が対称に設けられており、前記第１回転軸の両端はそれぞれ２つの前記第１回転孔に回転可能に連結されており、前記第２回転軸の両端はそれぞれ２つの前記第２回転孔に回転可能に連結されている、ことを特徴とするハンドライティングパッド付きの計算器。
【請求項２】
前記連結部材の両端は、それぞれ前記第１取り付け溝と前記第２取り付け溝に嵌合されており、かつ前記連結部材の両端はいずれも第１アールを備える、ことを特徴とする請求項１に記載のハンドライティングパッド付きの計算器。
【請求項３】
前記計算器本体は、第１上ケースと、第１下ケースと、計算器素子とを有し、前記第１上ケースの裏面に第１収容室が設けられており、前記第１取り付け溝は前記第１上ケースの縁部に設けられ、かつ前記第１取り付け溝と前記第１回転孔は前記第１収容室の開口位置に第１取り付け用切欠部を形成し、前記第１下ケースは前記第１収容室の開口と前記第１取り付け用切欠部とを適切に覆い、前記計算器素子は前記第１収容室に取り付けられており、かつ前記計算器素子のディスプレイ及びキーはいずれも前記第１上ケースの正面に露出している、ことを特徴とする請求項１に記載のハンドライティングパッド付きの計算器。
【請求項４】
前記第１収容室の内壁に複数の第１係止ブロックが環状かつ均一に配置されており、前記第１下ケースの外側壁に複数の第１係止溝が環状かつ均一に配置されており、複数の前記第１係止ブロックは複数の前記第１係止溝と１対１に対応して係止する、ことを特徴とする請求項３に記載のハンドライティングパッド付きの計算器。
【請求項５】
前記ハンドライティングパッド本体は、第２上ケースと、第２下ケースと、ハンドライティングパッドとを有し、前記第２下ケースの正面に第２収容室が設けられており、前記第２取り付け溝は前記第２下ケースの縁部に設けられ、かつ前記第２取り付け溝及び２つの前記第２回転孔は前記第２収容室の開口位置に第２取り付け用切欠部を形成し、前記第２上ケースは前記第２収容室の開口と前記第２取り付け用切欠部とを適切に覆い、前記ハンドライティングパッドは前記収容室に取り付けられており、前記ハンドライティングパッドのハンドライティングスクリーンは前記第２上ケースの正面に露出している、ことを特徴とする請求項１に記載のハンドライティングパッド付きの計算器。
【請求項６】
前記第２収容室の内壁に複数の第２係止ブロックが環状かつ均一に配置されており、前記第２上ケースの外側壁に複数の第２係止溝が環状かつ均一に配置されており、複数の前記第２係止ブロックは複数の前記第２係止溝と１対１に対応して係止する、ことを特徴とする請求項５に記載のハンドライティングパッド付きの計算器。
【請求項７】
前記ハンドライティングパッド本体にはハンドライティングペンが設けられている、ことを特徴とする請求項１〜６のいずれかに記載のハンドライティングパッド付きの計算器。
【請求項８】
前記ハンドライティングパッド本体にハンドライティングペン用収納溝が掘られており、前記ハンドライティングペン用収納溝の側壁には少なくとも１つの係止位置が突き出しで設けられており、前記ハンドライティングペンが前記ハンドライティングペン用収納溝に嵌合されかつ前記係止位置に係止されている、ことを特徴とする請求項７に記載のハンドライティングパッド付きの計算器。
【請求項９】
前記ハンドライティングペン用収納溝の一端の側壁において、前記ハンドライティングペン用収納溝の長さ方向に沿って挿入溝が掘られており、前記ハンドライティングペンのペン先が前記挿入溝に適切に挿入される、ことを特徴とする請求項８に記載のハンドライティングパッド付きの計算器。
【請求項１０】
前記計算器本体と前記ハンドライティングパッド本体の四周の縁部はいずれも第２アールを備える、ことを特徴とする請求項１〜６のいずれかに記載のハンドライティングパッド付きの計算器。
【考案の詳細な説明】
【技術分野】
【０００１】
本考案は、計算器の技術分野に属し、特に、ハンドライティングパッド付きの計算器に関する。
【背景技術】
【０００２】
社会の進歩と発展に伴い、各業界における各サービスはデータに係るプロジェクトがますます多くなっている。従来技術において、各種類のデータニーズを満たすために、オペレータは一般的に日常生活で使用されている計算器を採用する。使用する場合、オペレータは、計算器上の数字キーを設定することにより、計算する必要がある計算データを計算器の内部に入力し、更に計算器を介して入力されたデータをすべて演算する。使用する場合、計算されたデータが比較的多く、比較的複雑であれば、計算と使用過程において、計算されたデータを簡単に記録する必要がある時に、オペレータは他のデータパッド又は他のノートを使用してそのデータを記録する必要がある。従って、ハンドライティングパッド付きの計算器が市販されるようになった。使用する場合、ハンドライティングパッドを反転して開く必要があり、現在、ハンドライティングパッドは１本の回転軸の構造を採用して計算器と回転可能に連結し、ただし、上記構造は反転角度が小さすぎ、使用しにくく、ハンドライティングパッドは１８０°反転して計算器と同一平面で回転することができる構造であり、ハンドライティングパッドと計算器との間の隙間がまた比較的広く、回転安定性が低い。
【考案の概要】
【考案が解決しようとする課題】
【０００３】
本考案の目的は、ハンドライティングパッド付きの計算器を提供し、従来技術のハンドライティングパッド付きの計算器は反転角度が小さすぎて、使用しにくく、大きい角度で反転することができるが、ハンドライティングパッドと計算器との間の隙間が比較的広く、回転安定性が低い、という技術的問題を解決することである。
【課題を解決するための手段】
【０００４】
上記目的を実現するために、本考案の実施例が提供するハンドライティングパッド付きの計算器は、計算器本体及びハンドライティングパッド本体を有し、前記計算器本体と前記ハンドライティングパッド本体との互いに近接する縁部には、少なくとも１つの回転機構が設けられており、前記ハンドライティングパッド本体は回転機構を介して前記計算器本体に回転可能に連結され、前記回転機構は連結部材を有し、前記連結部材の両端にそれぞれ第１回転軸と第２回転軸が穿設され、前記計算器本体と前記ハンドライティングパッド本体との互いに近接する縁部には、それぞれ第１取り付け溝と第２取り付け溝が設けられており、かつ前記第１取り付け溝の両側に１対の第１回転孔が対称に設けられており、前記第２取り付け溝の対向する両側に１対の第２回転孔が対称に設けられており、前記第１回転軸の両端はそれぞれ２つの前記第１回転孔に回転可能に連結され、前記第２回転軸の両端はそれぞれ２つの前記第２回転孔に回転可能に連結されている。
【０００５】
任意選択的に、前記連結部材の両端は、それぞれ前記第１取り付け溝と前記第２取り付け溝に嵌合されており、かつ前記連結部材の両端はいずれも第１アールを備える。
【０００６】
任意選択的に、前記計算器本体は、第１上ケースと、第１下ケースと、計算器素子とを有し、前記第１上ケースの裏面に第１収容室が設けられており、前記第１取り付け溝は前記第１上ケースの縁部に設けられ、かつ前記第１取り付け溝と２つの前記第１回転孔は前記第１収容室の開口位置に第１取り付け用切欠部を形成し、前記第１下ケースは前記第１収容室の開口と前記第１取り付け用切欠部とを適切に覆い、前記計算器素子は前記第１収容室に取り付けられており、かつ前記計算器素子のディスプレイ及びキーはいずれも前記第１上ケースの正面に露出している。
【０００７】
任意選択的に、前記第１収容室の内壁に複数の第１係止ブロックが環状かつ均一に配置されており、前記第１下ケースの外側壁に複数の第１係止溝が環状かつ均一に配置されており、複数の前記第１係止ブロックは複数の前記第１係止溝と１対１に対応して係止する。
【０００８】
任意選択的に、前記ハンドライティングパッド本体は第２上ケースと、第２下ケースと、ハンドライティングパッドとを有し、前記第２下ケースの正面に第２収容室が設けられており、前記第２取り付け溝は前記第２下ケースの縁部に設けられ、かつ前記第２取り付け溝及び２つの前記第２回転孔は前記第２収容室の開口位置に第２取り付け用切欠部を形成し、前記第２上ケースは前記第２収容室の開口と前記第２取り付け用切欠部とを適切に覆い、前記ハンドライティングパッドは前記収容室に取り付けられており、前記ハンドライティングパッドのハンドライティングスクリーンは前記第２上ケースの正面に露出している。
【０００９】
任意選択的に、前記第２収容室の内壁に複数の第２係止ブロックが環状かつ均一に配置されており、前記第２上ケースの外側壁に複数の第１係止溝が環状かつ均一に配置されており、複数の前記第１係止ブロックは複数の前記第１係止溝と１対１に対応して係止する。
【００１０】
任意選択的に、前記ハンドライティングパッド本体にはハンドライティングペンが設けられている。
【００１１】
任意選択的に、前記ハンドライティングパッド本体にハンドライティングペン用収納溝が掘られており、前記ハンドライティングペン用収納溝の側壁には少なくとも１つの係止位置が突き出しで設けられており、前記ハンドライティングペンが前記ハンドライティングペン用収納溝に嵌合されかつ前記係止位置に係止されている。
【００１２】
任意選択的に、前記ハンドライティングペン用収納溝の一端の側壁において、前記ハンドライティングペン用収納溝の長さ方向に沿って挿入溝が掘られており、前記ハンドライティングペンのペン先が前記挿入溝に適切に挿入される。
【００１３】
任意選択的に、前記計算器本体と前記ハンドライティングパッド本体の四周の縁部はいずれも第２アールを備える。
【考案の効果】
【００１４】
従来技術に比べ、本考案の実施例の提供するハンドライティングパッド付きの計算器における上記１つ又は複数の技術的解決手段は、少なくとも以下の技術的効果の１つを有する。
【００１５】
計算器を使用する時に、ハンドライティングパッド本体を反転して開き、ハンドライティングパッド本体を１８０°反転して計算器本体と同一平面にさせ、オペレータが計算器を使用しやすく、及びハンドライティングパッドを使用してメモを作成しやすい。ハンドライティングパッド本体を反転する過程において、連結部材はハンドライティングパッド本体に伴って反転することにより、ハンドライティングパッド本体を１８０°反転する時に連結部材に押し当てることがなく、反転が円滑で、安定性が高く、かつ計算器本体とハンドライティングパッド本体はコンパクトに連結される。
【００１６】
ハンドライティングパッド本体を提供し、オペレータがメモするために用いられ、実用性が高く、同時に、反転して折り畳むことができ、携帯しやすい。
【図面の簡単な説明】
【００１７】
本考案の実施例における技術的解決手段をより明確に説明するために、以下は実施例又は従来技術の説明に必要な図面を簡単に説明し、明らかに、以下の説明の図面は本考案のいくつかの実施例を示すものにすぎず、当業者であれば、創造的な労働をしない前提で、更にこれらの図面に基づいて他の図面を取得することが可能である。
【図１】本考案のハンドライティングパッド付きの計算器の構造概略図である。
【図２】本考案のハンドライティングパッド付きの計算器の分解図である。
【図３】本考案の図２におけるＡ部の拡大図である。
【図４】本考案の計算器本体の分解図である。
【図５】本考案のハンドライティングパッド本体の分解図である。
【図６】本考案のハンドライティングパッド本体の別の分解図である。
【考案を実施するための形態】
【００１８】
以下に、本考案の実施例について詳細に説明する。前記実施例の例を図面に示す。ここで、同一又は類似の素子、又は同一又は類似の機能を有する素子を、同一又は類似の符号で示すことは勿論である。以下に図面を参照して説明する実施例は例示的なものであり、本考案の実施例を説明するためのものであり、本考案の範囲を限定するものではない。
【００１９】
本考案の一実施例において、図１及び図２に示すように、ハンドライティングパッド付きの計算器を提供し、計算器本体１００及びハンドライティングパッド本体２００を有する。計算器本体１００とハンドライティングパッド本体２００との互いに近接する縁部には、少なくとも１つの回転機構３００が設けられており、ハンドライティングパッド本体２００は回転機構３００を介して計算器本体１００に回転可能に連結される。
【００２０】
図２及び図３に示すように、回転機構３００は、連結部材３１０を有する。連結部材３１０の両端にそれぞれ第１回転軸３２０と第２回転軸３３０が穿設される。計算器本体１００とハンドライティングパッド本体２００との互いに近接する縁部にはそれぞれ第１取り付け溝１１０と第２取り付け溝２１０が設けられており、かつ第１取り付け溝１１０の対向する両側に１対の第１回転孔１２０が対称に設けられており、第２取り付け溝２１０の対向する両側に１対の第２回転孔２２０が対称に設けられている。第１回転軸３２０の両端はそれぞれ２つの第１回転孔１２０に回転可能に連結され、第２回転軸３３０の両端はそれぞれ２つの第２回転孔２２０に回転可能に連結され、連結部材３００を計算器本体１００及びハンドライティングパッド本体２００にいずれも回転可能に連結させる。
【００２１】
従来技術に比べ、本考案の実施例が提供するハンドライティングパッド付きの計算器は下記技術的効果の１つを有する。
【００２２】
計算器を使用する場合、ハンドライティングパッド本体２００を反転して開き、ハンドライティングパッド本体２００を１８０°反転して計算器本体１００と同一平面にさせ、オペレータが計算器を使用しやすく、及びハンドライティングパッド本体２００を使用してメモを作成しやすい。ハンドライティングパッド本体２００を反転する過程において、連結部材３１０はハンドライティングパッド本体２００に伴って反転することにより、ハンドライティングパッド本体２００を１８０°反転する時に連結部材３１０に押し当てることがなく、反転が円滑で、安定性が高く、かつ計算器本体１００とハンドライティングパッド本体２００はコンパクトに連結される。
【００２３】
ハンドライティングパッド本体２００を提供し、オペレータがメモするために用いられ、実用性が高く、同時に、反転して折り畳むことができ、携帯しやすい。
【００２４】
本考案の別の実施例において、図２及び図３に示すように、回転機構３００は２つ設けられており、計算器本体１００とハンドライティングパッド本体２００との互いに近接する縁部にそれぞれ２つの第１取り付け溝１１０と２つの第２取り付け溝２１０が対応して設けられている。１対の回転機構３００が設けられており、ハンドライティングパッド本体２００は計算器本体１００に対して安定的に反転することができ、構造の安定性が高い。
【００２５】
本考案の他の実施例において、図２及び図３に示すように、連結部材３１０の両端はそれぞれ第１取り付け溝１１０と第２取り付け溝２１０に嵌合され、かつ連結部材３１０の両端はいずれも第１アール３１１を備える。第１アール３１１を設けることにより、連結部材３１０がハンドライティングパッド本体２００に伴って一緒に反転する時に、第１取り付け溝１１０と第２取り付け溝２１０の側壁に係止せず、動きが安定して行うことを保証する。
【００２６】
本考案の他の実施例において、図２及び図４に示すように、計算器本体１００は、第１上ケース１５０と、第１下ケース１６０と、計算器素子１７０とを有する。そのうち、計算器素子１７０は成熟した従来の技術である。
【００２７】
図２及び図４に示すように、第１上ケース１５０の裏面に第１収容室１５１が設けられており、第１取り付け溝１１０は第１上ケース１５０の縁部に設けられ、かつ第１取り付け溝１１０及び２つの第１回転孔１２０は第１収容室１５１の開口位置に第１取り付け用切欠部１１２を形成する。第１下ケース１６０は、第１収容室１５１の開口部と第１取り付け用切欠部１１２とを適切に覆う。取り付ける場合、第１回転軸３１０を第１取り付け用切欠部１１２から第１取り付け溝１１０及び２つの第１回転孔１２０に容易に取り付けるために、第１下ケース１６０を押し合い、第１回転軸３２０は２つの第１回転孔１２０に回転可能に連結され、構造が安定し、組み立てが容易である。
【００２８】
図２及び図４に示すように、計算器素子１７０は、第１収容室１５１に取り付けられ、かつ計算器素子１７０のディスプレイ及びキーはいずれも第１上ケース１５０の正面に露出している。第１上ケース１５０と第１下ケース１６０との組み合わせ形態に設けられ、第１収容室１５１内に計算器素子１７０を容易に収容することができる。
【００２９】
さらに、図２及び図４に示すように、第１収容室１５１の内壁に複数の第１係止ブロック１５２が環状かつ均一に配置されており、第１下ケース１６０の外側壁に複数の第１係止溝が環状かつ均一に配置されており、複数の第１係止ブロック１５２は複数の第１係止溝１６１と１対１に対応して係止され、第１上ケース１５０は第１下ケース１６０に安定して接続され、組み立てが容易である。
【００３０】
いくつかの実施例において、第１上ケース１５０と第１下ケース１６０はネジ、接着剤による接着などの形態により固定的に接続される。
【００３１】
本考案の別の実施例において、図２及び図５に示すように、ハンドライティングパッド本体２００は第２上ケース２５０と、第２下ケース２６０と、ハンドライティングパッド２７０とを含む。
【００３２】
図２及び図５に示すように、第２下ケース２６０の正面に第２収容室２６１が設けられており、第２取り付け溝２１０は第２下ケース２６０の縁部に設けられ、かつ第２取り付け溝２１０及び２つの第２回転孔２２０は第２収容室２６１の開口位置に第２取り付け用切欠部２１２を形成する。第２上ケース２５０は、第２収容室２６１の開口部と第２取り付け用切欠部２１２とを適切に覆う。取り付ける場合、第２回転軸３３０を第２取り付け用切欠部２１２から第１取り付け溝１１０及び２つの第２回転孔２２０に容易に取り付けるために、第２上ケース２５０を押し合い、第２回転軸３３０は２つの第２回転孔２２０に回転可能に連結され、構造が安定し、組み立てが容易である。
【００３３】
ハンドライティングパッド２７０は第２収容室２６１に取り付けられ、ハンドライティングパッド２７０のハンドライティングスクリーンは第２上ケース２５０の正面に露出している。第２上ケース２５０と第２下ケース２６０との組み合わせ形態に設けられ、第２収容室２６１内にハンドライティングパッド２７０を容易に収容することができる。
【００３４】
さらに、図２及び図５に示すように、第２収容室２６１の内壁に複数の第２係止ブロック２６２が環状かつ均一に配置され、第２上ケース２５０の外側壁に複数の第２係止溝２５１が環状かつ均一に配置され、複数の第２係止ブロック２６２は複数の第２係止溝２５１と１対１に対応して係止され、第２上ケース２５０と第２下ケース２６０は安定して接続され、組み立てが容易である。
【００３５】
いくつかの実施例において、第２上ケース２５０と第２下ケース２６０はネジ、接着剤による接着などの形態により固定的に接続される。
【００３６】
ここで、計算器を使用する場合、ハンドライティングパッド本体２００を１８０°反転して開き、計算器素子１７０のディスプレイとキー、及びハンドライティングパッド２７０のハンドライティングスクリーンは、同時にオペレータに向ける。
【００３７】
本考案の他の実施例において、図２及び図６に示すように、ハンドライティングパッド本体２００にはハンドライティングペン２８０が設けられている。オペレータは、当該ハンドライティングペン２８０を使用することにより、ハンドライティングパッド本体２００のハンドライティングスクリーンにおいてよりよくメモすることができ、書きやすい。
【００３８】
さらに、図２及び図６に示すように、ハンドライティングパッド本体２００の第２下ケース２６０の裏面には、ハンドライティングペン用収納溝２６３が掘られている。ハンドライティングペン用収納溝２６３の側壁には、少なくとも１つの係止位置２６４が突き出しで設けられており、ハンドライティングペン２８０がハンドライティングペン用収納溝２６３に適切に配置されかつ係止位置２６４に係止され、ハンドライティングペン２８０をハンドライティングペン用収納溝２６３に固定的に係止させる。
【００３９】
ここで、図２及び図６に示すように、係止位置２６４はハンドライティングペン用収納溝２６３の側壁に設けられた係止突起であり、係止突起を介してハンドライティングペン用収納溝２６３内に配置されるハンドライティングペン２８０の縁部に係止させ、ハンドライティングペン２８０の少なくとも一部をハンドライティングペン用収納溝２６３に干渉係止させる。
【００４０】
さらに、図２及び図６に示すように、ハンドライティングペン用収納溝２６３の一端の側壁において、ハンドライティングペン用収納溝の長さ方向に沿って挿入溝２６５が掘られており、ハンドライティングペン２８０のペン先が挿入溝２６５に適切に挿入される。ハンドライティングペン２８０を置く場合、まずハンドライティングペン２８０のペン先を挿入溝２６５に挿入し、さらにハンドライティングペン２８０をハンドライティングペン用収納溝２６３に挿入し、挿入溝２６５は一定の支持作用を果たし、計算器を携帯する過程において、挿入溝２６５はハンドライティングペン２８０のペン先をサポートし、ハンドライティングペン２８０がハンドライティングペン用収納溝２６３から脱落しにくく、確実に置き、紛失を防止する。
【００４１】
好ましくは、図２及び図６に示すように、ハンドライティングペン用収納溝２６３の片側は第２下ケース２６０の縁部には側開口部２６６が形成され、側開口部２６６を介してハンドライティングペン用収納溝２６３内のハンドライティングペン２８０の側部を露出させ、従って、オペレータは側開口部２６６からハンドライティングペン２８０をハンドライティングペン用収納溝２６３から容易に取り出すことができ、ハンドライティングペン２８０を取り出しやすい。
【００４２】
本考案のもう１つの実施例において、図２に示すように、計算器本体１００とハンドライティングパッド本体２００の四周の縁部はいずれも第２アール１０２を備え、第２アールを備えて設定することにより、ハンドライティングパッド本体２００が計算器本体１００に対して反転する時に互いに近接する縁部は互いに係合することがない。
【００４３】
本実施例の他の部分は実施例１と同じであり、本実施例で説明しない特徴は、いずれも実施例１の説明を用い、ここで説明を省略する。
【００４４】
以上の内容は具体的な好ましい実施形態を参照しながら本考案についてさらに詳細に説明したものであり、本考案の具体的な実施はこれらの説明に限定されるものではない。本考案が属する技術分野の一般的な技術者にとって、本考案の概念から逸脱しない前提で、そのアーキテクチャ形態は柔軟に変更可能であり、シリーズ製品を派生可能である。単にいくつかの簡単な推論又は置換を行い、いずれも本考案が提出した実用新案登録請求の範囲から確定した実用新案登録請求の範囲に属すると見なすべきである。
【図１】
0003232072.tif 000003
【図２】
0003232072.tif 000004
【図３】
0003232072.tif 000005
【図４】
0003232072.tif 000006
【図５】
0003232072.tif 000007
【図６】
0003232072.tif 000008